(57)【特許請求の範囲】
【請求項１】
映像データが記録された記録ディスクから、当該映像データを読出す第１の読出し手段と、
予め用意された映像データが記憶された記憶手段から、当該映像データを読出す第２の読出し手段と、
前記第１の読出し手段による映像データの読出し不良を検出する検出手段と、
前記検出手段により読出し不良が検出されたとき、第１の読出し手段による読出し動作を禁止するとともに、第２の読出し手段による読出し動作を実行するよう制御する制御手段とを備えたことを特徴とする映像再生装置。
【請求項２】
前記第１の読出し手段により読出された映像データを一時的に蓄える第２の記憶手段を有することを特徴とする請求項１記載の映像再生装置。
【請求項３】
映像データが記録された記録ディスクから、当該映像データを読出す第１の読出し手段と、
前記第１の読出し手段による映像データの読出し不良を検出する検出手段とを有する映像再生装置と、
予め用意された映像データが記憶された第１の記憶手段から、当該映像データを読出す第２の読出し手段と、
前記検出手段により読出し不良が検出されたとき、第１の読出し手段による読出し動作を禁止するとともに、第２の読出し手段による読出し動作を実行するよう制御する制御手段とを有するカラオケ端末とを備えたことを特徴とする映像カラオケ装置。
【請求項４】
前記カラオケ端末は、映像再生装置の第１の読出し手段により読出された映像データを受け取って、それを一時的に蓄える第２の記憶手段を有することを特徴とする請求項３記載の映像カラオケ装置。
【発明の詳細な説明】
【０００１】
【産業上の利用分野】
本発明は、カラオケシステムに使用される映像再生装置およびそれを搭載した映像カラオケ装置に関するものである。
【０００２】
【従来の技術】
従来、映像カラオケ装置においては、演奏曲毎に映像データと演奏データとを記憶したビデオディスク等を再生していたが、業務用などでは装置一台当りに数千曲もの演奏曲を保有させるために、非常に多くのビデオディスクが必要であった。そして、これらのビデオディスクは、専用の収納ケースに収納され、オートチェンジャ等を用いてリクエストに応じたディスクが自動的に選ばれるようになっていたが、収納ケース及びオートチェンジャが占有する面積が非常に大きいため、特に業務用としてはコンパクト化が要求されていた。
【０００３】
そこで、このコンパクト化の一案として実現されているのが、映像データと演奏データとを別に記憶させておき、曲の演奏時に、両者を合成するカラオケシステムである。
【０００４】
近年パソコンの周辺機器としてコンパクトディスクにデータを格納してＣＤ−ＲＯＭとして使用するＣＤ−ＲＯＭドライブの需要が増加しているが、上述のカラオケシステムでは、ＣＤ−ＲＯＭに映像データを圧縮して記憶させる映像再生装置が用いられている。また、ＣＤ−ＲＯＭドライブに関しては、他のメモリ、例えばＨＤＤに比べるとデータの転送速度が遅いので、これを解消するために、ＣＤ−ＲＯＭディスクを通常の２倍、或いは３倍、４倍の回転数で回すことにより、データの転送速度を２倍、３倍、４倍（２倍速、３倍速、４倍速）にする方式をとっているものもある。
【０００５】
【発明が解決しようとする課題】
しかしながら、上述したような従来の映像再生装置では、ディスクに傷やほこり、或いは汚れ等が数多くあって、正確に映像データを読出せないとき、リトライを何回か行って正確に映像データを読出そうとするが、再生しようとする時間内に映像データが読出せない場合、モニタ画面が静止画、或いは黒画面等になってしまうという問題があった。
【０００６】
これを避けるために、読出した映像データを一時的に蓄えるバッファメモリの容量を増大させることにより、再生までの時間を稼ぐことが考えられるが、多大なコストがかかってしまうという問題がある。
【０００７】
本発明は  上述した問題点を解決するためになされたものであり、動画映像データの再生の途中でモニタ画面が静止画となったり、或いは黒画面状態となったりすることがない映像再生装置およびそれを搭載する映像カラオケ装置を提供することを目的としている。
【０００８】
【課題を解決するための手段】
この目的を達成するために本発明の映像再生装置は、映像データが記録された記録ディスクから、当該映像データを読出す第１の読出し手段と、予め用意された映像データが記憶された記憶手段から、当該映像データを読出す第２の読出し手段と、前記第１の読出し手段による映像データの読出し不良を検出する検出手段と、前記検出手段により読出し不良が検出されたとき、第１の読出し手段による読出し動作を禁止するとともに、第２の読出し手段による読出し動作を実行するよう制御する制御手段とを備えている。
【０００９】
尚、本映像再生装置は、前記第１の読出し手段により読出された映像データを一時的に蓄える第２の記憶手段を有していることが望ましい。
【００１０】
また、本発明の映像カラオケ装置は、映像データが記録された記録ディスクから、当該映像データを読出す第１の読出し手段と、前記第１の読出し手段による映像データの読出し不良を検出する検出手段とを有する映像再生装置と、予め用意された映像データが記憶された第１の記憶手段から、当該映像データを読出す第２の読出し手段と、前記検出手段により読出し不良が検出されたとき、第１の読出し手段による読出し動作を禁止するとともに、第２の読出し手段による読出し動作を実行するよう制御する制御手段とを有するカラオケ端末とを備えている。
【００１１】
尚、前記カラオケ端末は、映像再生装置の第１の読出し手段により読出された映像データを受け取って、それを一時的に蓄える第２の記憶手段を有していることが望ましい。
【００１２】
【作用】
上記の構成を有する本発明の映像再生装置は、検出手段により第１の読出し手段による記録ディスクからの映像データの読出し不良が検出されると、制御手段は第１の読出し手段による読出し動作を禁止するとともに、第２の読出し手段により、予め用意された映像データが記憶された記憶手段からの読出し動作を実行するよう制御する。
【００１３】
尚、本映像再生装置が第２の記憶手段を有している場合には、前記第１の読出し手段により読出された映像データは第２の記憶手段に一時的に蓄えられ、順次再生に供される。
【００１４】
また、本発明の映像カラオケ装置は、映像再生装置の検出手段により第１の読出し手段による記録ディスクからの映像データの読出し不良が検出されると、カラオケ端末の制御手段は第１の読出し手段による読出し動作を禁止するとともに、第２の読出し手段により、予め用意された映像データが記憶された記憶手段からの読出し動作を実行するよう制御する。尚、カラオケ端末が第２の記憶手段を有している場合には、映像再生装置の第１の読出し手段により読出された映像データを受け取って、それを一時的に蓄え、順次再生に供する。
【００１５】
【実施例】
以下、本発明を具体化した一実施例を図面を参照して説明する。
【００１６】
まず始めに、本発明を実施したカラオケシステムの構成の概要を図１に示すブロック図を用いて説明すると、カラオケシステムは、カラオケ端末としてのコマンダ１０、映像再生装置としてのディスクプレーヤ３０、アンプミキサ５０、スピーカ５２、マイク５４、モニタテレビ５６などを備えている。
【００１７】
このカラオケシステムにて、利用者はコマンダ１０を操作することにより歌いたい曲を選択することができる。コマンダ１０には、曲データとして歌詞データおよび演奏データが格納されており、曲が選択されると、コマンダ１０はこれら歌詞データおよび演奏データを同期させて出力し得るように構成されている。そして、最終的に利用者はモニタテレビ５６に表示される歌詞を参照しながら、スピーカ５２から出力される演奏に合わせて歌を歌うことになる。
【００１８】
コマンダ１０から出力される演奏データは、アナログの演奏信号に変換された後、アンプミキサ５０へ送られて電気的に増幅されるとともに、マイク５４を介して入力する利用者の歌声と適度な割合でミキシングされる。そして、ミキシングされた音声信号は、スピーカ５２により各種楽器による楽音演奏として外部へ出力される。
【００１９】
一方、演奏データと同期してコマンダ１０から読出される歌詞データは、ディスクプレーヤ３０から送られるＮＴＳＣ映像信号と合成（スーパーインポーズ）されてモニタテレビ５６に表示される。ディスクプレーヤ３０から送られるＮＴＳＣ映像信号は、ディスクプレーヤ３０により動画再生ディスクを再生することで生成される。ここにおいて、前記ＮＴＳＣ映像信号は、利用者が歌詞を参照しながら歌う際にモニタテレビ５６に表示される背景映像となるものである。
【００２０】
シリアル入出力回路（ＳＩＯ）１６は、シリアル通信回線１７を介して、選択された曲のジャンルをディスクプレーヤ３０に送信したりするためのインタフェース回路であり、本実施例では、シリアル通信回線としてＲＳ２３２Ｃケーブルを用いている。
【００２１】
ビデオミキサ２４は、ハードディスク２０から送られる歌詞データと、ディスクプレーヤ３０から送られるＮＴＳＣ映像信号とを合成する装置であり、これにより表示される歌詞の色が歌詞データは楽器の演奏が出力されるのに同期して、徐々に変わるため、利用者に該当する歌唱部分を知らせることができる。
【００２２】
次に、図２を用いてディスクプレーヤ３０の構成について説明する。
【００２３】
ディスクプレーヤ３０はコマンダ１０から送られる曲のジャンル情報に基づき、該当するジャンルの動画をＮＴＳＣ映像信号としてコマンダ１０へ送るものであり、このディスクプレーヤ３０では動画再生ディスク（図示せず）を再生することにより映像信号が生成されるようになっている。
【００２４】
尚、本実施例で用いる動画再生ディスクは、１２ｃｍのＣＤ（コンパクトディスク）サイズのビデオディスクであり、動画データがＭＰＥＧの方式で圧縮されて記憶されているため、ＣＤサイズのディスク一枚に１時間分の動画を記憶している。
【００２５】
次に、このような動画再生ディスクを再生するディスクプレーヤ３０の内部構成について図２を用いて説明する。図２に示す通り、ディスクプレーヤ３０は、シリアル入出力回路（ＳＩＯ）３２、４つのＣＤ−ＲＯＭドライブ６０ａ，６０ｂ、６０ｃ、６０ｄ、ＲＯＭ３３，ＲＡＭ３５，画像メモリ３１、切り替え回路３４、切り替え用画像メモリ３６、ＣＰＵ３８、ＳＣＳＩコンントローラ３９、圧縮データ復号化回路４２、ＮＴＳＣコンバータ４４などを備えている。
【００２６】
シリアル入出力回路（ＳＩＯ）３２は、選択された曲のジャンル情報をコマンダ１０から受信したりするためのインタフェース回路である。
【００２７】
第１の読出し手段としての４つのＣＤ−ＲＯＭドライブ（第１ＣＤ−ＲＯＭドライブ６０ａ、第２ＣＤ−ＲＯＭドライブ６０ｂ、第３ＣＤ−ＲＯＭドライブ６０ｃ、第４ＣＤ−ＲＯＭドライブ６０ｄ）は、趣向毎で区分けした映像ジャンルの配分が所定の比率となっている動画再生ディスクを選択して再生するプレーヤである。
【００２８】
ＳＣＳＩコントローラ３９は、４つのＣＤ−ＲＯＭドライブ６０ａ，６０ｂ、６０ｃ，６０ｄの中から１つを選択してデータを読取る回路であり、本実施例では、４つのうち２つのＣＤ−ＲＯＭドライブを選択して、それぞれのデータの読取りを一定時間間隔（例えば３０秒）で切り換えることとし、該当ジャンルの動画を順番に再生することができるようになっている。
【００２９】
ＣＰＵ３８は、ディスクプレーヤ３０全体の作動を制御するマイクロコンピュータであり、ＳＣＳＩコントローラ３９から読取られたデジタルデータは、記憶手段としての画像メモリ３１へ送られるようになっている。
【００３０】
切り換え用画像メモリ３６は、動画再生ディスクから読出され、画像メモリに蓄えられた画像データとは別に、再生映像の切り換え用に予め用意された画像データが記憶されたメモリである。
【００３１】
切り換え回路３４は、画像メモリ３１、切り換え用メモリ３６および圧縮データ復号化回路４２と接続され、それら画像メモリ３１と切り換え用画像メモリ３６との間の接続状態を何れか一方に切り換えて、そこから画像データを受け取って、その画像データを圧縮データ復号化回路４２へ送るものである。
【００３２】
圧縮データ復号化回路４２は、切り換え回路３４およびＮＴＳＣコンバータ４４と接続され、切り換え回路３４から送られる画像データ、すなわち圧縮されたデジタルデータを映像信号に復号化する電気回路であり、復号化した映像信号をＮＴＳＣコンバータ４４に送るようになっている。
【００３３】
ＮＴＳＣコンバータ４４は、圧縮データ復号化回路４２により復号化された映像信号を商用カラーテレビジョン信号（ＮＴＳＣ映像信号）に変換する電気回路であり、このＮＴＳＣコンバータ４４により変換されたＮＴＳＣ映像信号はコマンダ１０のビデオミキサ２４に送られるようになっている。
【００３４】
次に、４つのＣＤ−ＲＯＭドライブ６０ａ，６０ｂ、６０ｃ，６０ｄの内部構成について、図３を用いて説明する。図３に示すとおり、ＣＤ−Ｒ０Ｍドライブ６０は、光ピックアップ６２、スピンドルモータ６３、ディジタル信号処理回路６４、速度制御回路６５、エラー訂正制御回路６６、ＳＣＳＩコントローラ６７、フォーカス・トラッキングサーボ回路６８、システム制御ＣＰＵ６９などを備えており、これらにより動画再生ディスク６１からデータを読出すことができるようになっている。
【００３５】
前記動画再生ディスク６１には、３０秒ずつの映像を１つのチャプターとして計１４０チャプターの画像データが記憶されている。
【００３６】
光ピックアップ６２は、動画再生ディスクに記憶されたデータをレーザ光を利用して電気信号に変換するユニットである。スピンドルモータ６３は、動画再生ディスクを決められた回転数で回すためのモータであり、速度制御回路６５により制御されるようになっている。そして、光ピックアップ６２より読出された信号は、デジタル信号処理回路６４によりデジタル化され、エラー訂正制御回路６６によりエラー訂正され、ＳＣＳＩコントローラ６７により外部とのＳＣＳＩインターフェース３７に送られるようになっている。
【００３７】
フォーカス・トラッキングサーボ回路６８は、光ピックアップ６２から発光されるレーザー光を図示しない動画再生ディスクの記録トラックに正確に追随させるものであり、システム制御ＣＰＵ６９は、ＣＤ−ＲＯＭドライブ６０全体の作動を制御するマイクロコンピュータである。
【００３８】
尚、本実施例では、デジタル信号処理回路６４、エラー訂正制御回路６６、及びシステム制御ＣＰＵ６９の制御構造が動画再生ディスクの不良部分を検出する検出手段として、ＣＰＵ３８、ＲＯＭ３３、ＲＡＭ３５、及び切り換え回路３４の制御構造が第２の読出し手段および制御手段として、切り換え用画像メモリ３６が第２の記憶手段としての機能を果たしている。
【００３９】
ここにおいて、本実施例では、４つのＣＤ−ＲＯＭドライブの中から２つのＣＤ−ＲＯＭドライブを選択して、一定間隔（３０秒）で切り換えてデータを読出す。ＣＤ−ＲＯＭドライブではコマンダーより指定された該当ジャンルの動画の中から１つのチャプターを選択して順番に再生する場合、画像記録ディスクに何らかのほこりや汚れ、傷等があり、画像データがたとえエラー訂正制御回路６６をもってしても読めない場合、圧縮データ符号化回路４２に画像データを送ることが出来なくなり、表示される画像が静止画となったり、何も表示しない黒画面の状態となったりしてしまう。
【００４０】
そこでシステム制御ＣＰＵ６９は再度同じところを読むように指示する。この動作は一般的にリトライと呼ばれている。そして、再度読んでも読めない場合は、もう一度同じところを読むように指示し、読めるまでリトライを繰り返す。このような画像データが読めないことを考慮して、読取った画像データは一旦画像メモリ３１に格納してから圧縮データ符号化回路４２に送られるようになっている。こうすることにより、リトライをしている間でも、画像データは正しく圧縮データ符号化回路４２に送られ、再生に供されることにより、静止画や黒画面といった不具合が起きることを防ぐことが出来る。例えばこの画像メモリ３１が再生に５秒かかるデータ量がある場合、５秒間の間にリトライ動作をして読むことが出来ればまったく問題がないことになる。
【００４１】
ところが、５秒間にできるリトライでも読めないような場合には、やはり静止画や黒画面になる。しかしながら、カラオケシステムの背景映像が静止画や黒画面となることは、歌っている人にとって気分の悪いものである。
【００４２】
そこで、本実施例のカラオケシステムの要部であるディスクプレーヤの制御動作について、図４に示すフローチャートに基づいて以下に説明する。
【００４３】
まず始めに、画像記録ディスクから画像データの読出し動作を行う場合、画像データが読めたかどうかを判断して（Ｓ１）、読めない場合には、その旨をＣＤ−ＲＯＭドライブ６０がＳＣＳＩコントローラ３９を通してＣＰＵ３８に返答するとともに、リトライを行う（Ｓ２）。次に、リトライにより画像データが読めたかどうかを判断して（Ｓ３）、読めない場合にはリトライの回数をカウントする（Ｓ４）。そして、リトライの回数が５回を越えたかどうかを判断して（Ｓ５）、越えてなければ再び一連のリトライ動作を行う。一方、リトライ５回以内に画像データが読めた場合には、読出した画像データを画像メモリにデータを格納し（Ｓ８）、次に画像メモリ３１から切り換え回路３４を通して、圧縮データ復号化回路４２にデータを送る（Ｓ９）。
【００４４】
また、ほこりや傷等でリトライを５回行ってもデータを読めない場合、読出し動作を禁止するとともに切り換え回路３４を切り換え用画像メモリ３６側に設定して（Ｓ６）、切り換え用画像メモリ３６から受け取った画像データを圧縮データ複合化回路４２に送る（Ｓ７）。このように動画再生ディスクから読出して画像メモリ３１に格納した画像データとは異なる映像切り換え用の画像データを別途設けて、この画像データに切り換えることを容易にしたことにより、ほこりや傷等が多くなかなか画像データが読出せない場合であっても、切り換え用の画像データを再生することにより、静止画や黒画面といった画像の乱れを防ぐことが出来る。
【００４５】
更に、上記の構成において、リトライが５回を越え、画像データを切り換え用画像メモリ３６から読出す時に、読出すＣＤ−ＲＯＭドライブをもう一方のＣＤ−ＲＯＭドライブに変更するようにすれば、さらに効果がある。また、予め用意する切り換え用画像メモリにはカラオケの歌のジャンルにあまり影響しない風景などの画像を使用すれば、切り換えたときに画像に違和感がない。以上説明した通り、本実施例のカラオケシステムでは、使用する画像再生ディスクに傷やほこり等の不良部分があることを検出した場合、切り換え用画像メモリに記憶される画像データの再生に切り換えることにより、静止画や黒画面等といった不良画像を再生することを防ぐことが出来る。
【００４６】
また、実施例の動画再生ディスクはデータ圧縮の技術を用いていることで、ＣＤサイズのディスクに１時間分の動画を記憶しているため、従来のビデオディスクに比較してディスクプレーヤ３０が小さくて済むという利点がある。しかし、従来のビデオディスクであっても、本発明と同様の効果を得ることはできる。
【００４７】
尚、本発明は以上詳述した一実施例に限定されるものではなく、その主旨を逸脱しない範囲において、種々の変更を加えることが可能である。
【００４８】
例えば、本実施例では４台のＣＤ−ＲＯＭドライブ６０ａ，６０ｂ，６０ｃ，６０ｄを用いているが、これは１台であっても差し支えない。
【００４９】
また、本実施例では切り換え用の画像データを記憶する記憶手段、或いは切り
換え回路を映像再生装置側にもたせているが、コマンダ側にもたせる構造にしても構わない。
【００５０】
【発明の効果】
以上詳述したことから明らかなように、本発明の映像再生装置およびそれを搭載したカラオケ装置によれば、記録ディスクより映像をうまく読出すことができない場合であっても、予め用意された映像データが記憶された記憶手段に記憶される映像を再生することにより、モニタによる動画データの再生途中に、モニタ映像が静止画となったり、或いは映像が何も表示されない黒画面状態となったりすることを防止することができる。
【００５１】
また、記録ディスクから読出した映像データが一時的に蓄えられて順次再生されるようになっていれば、蓄えられた映像が再生されるのにかかる時間だけ、記録ディスクから映像データを読出す動作を行うことが可能となるため、読出し不良があった場合にも、より多くの読出しトライを行うことができるとともに、時間映像の切り換えをよりスムーズに行うことができる。
【図面の簡単な説明】
【図１】本実施例のカラオケシステムの構成を示すブロック図である。
【図２】上記カラオケシステムに搭載されるディスクプレーヤの構成を示すブロック図である。
【図３】上記カラオケシステムに搭載されるＣＤ−ＲＯＭドライブの構成を示すブロック図である。
【図４】ディスクプレーヤの制御動作を示すフローチャートである。
【符号の説明】
１０  コマンダ
３０  ディスクプレーヤ
３１  画像メモリ
３３  ＲＯＭ
３４  切り換え回路
３５  ＲＡＭ
３６  切り換え用画像メモリ
３８  ＣＰＵ
５６  モニタテレビ
６０  ＣＤ−ＲＯＭドライブ
６１  動画再生ディスク
【図１】
0003580898.tif 000002
【図２】
0003580898.tif 000003
【図３】
0003580898.tif 000004
【図４】
0003580898.tif 000005